(57)【要約】【課題】接点を目視することができない場合であっても、接点の導通状態を監視することができる電磁接触器を提供する。【解決手段】接離可能に対向配置された一対の主回路接点３と、この一対の主回路接点の接離を制御する電磁石のコイル２９と、一対の主回路接点の開閉による接点電圧の変化を検出する電圧検出回路５３とを備えた電磁接触器１である。【選択図】図２
2015076231.tif 000002
【特許請求の範囲】
【請求項１】
接離可能に対向配置された一対の主回路接点と、
この一対の主回路接点の接離を制御する電磁石のコイルと、
前記一対の主回路接点の開閉による接点電圧の変化を検出する電圧検出回路と、を備えたことを特徴とする電磁接触器。
【請求項２】
前記電圧検出回路を前記一対の主回路接点の一方又は他方に切換えして接続する切換え接続手段を備えていることを特徴とする請求項１記載の電磁接触器。
【請求項３】
前記電圧検出回路は、一対の主回路接点の閉極状態で発生する接点電圧を分圧する分圧回路と、この分圧回路が出力した監視電圧と所定の基準電圧とを比較する比較回路と、を備えていることを特徴とする請求項１又は２記載の電磁接触器。
【請求項４】
前記分圧回路は、前記一対の主回路接点と接地との間に直列に接続された少なくとも２以上の抵抗素子を備え、それら抵抗素子の間から前記比較回路に前記監視電圧が出力されることを特徴とする請求項３記載の電磁接触器。
【請求項５】
前記一対の主回路接点を収容する不透明な収容ケースを備えていることを特徴とする請求項１乃至４の何れか１項記載の電磁接触器。
【請求項６】
前記一対の主回路接点の一方が、電流路に所定間隔を保って固定配置された一対の固定接触子であり、前記一対の主回路接点の他方が、前記一対の固定接触子に対して接離可能に配置され、前記一対の固定接触子の間を導通可能な可動接触子であることを特徴とする請求項１乃至５の何れか１項記載の電磁接触器。
【発明の詳細な説明】
【技術分野】
【０００１】
本発明は、電機回路の開閉器に関し、特に電磁石を用いて一対の接点の開閉を制御する電磁接触器に関する。
【背景技術】
【０００２】
従来の電磁接触器として、例えば特許文献１に記載された装置が知られている。
この特許文献１の電磁接触器は、封止容器内に、コイルに巻かれた固定コアと、この固定コアに対向配置され、コイルへの励磁により復帰ばねに抗して固定コアに吸引される可動コアと、ケースに固定されて主回路に接続される一対の固定接触子と、これら固定接触子に設けた固定接点と、これら固定接点に対向する可動接点を設けた一対の可動接触子と、可動コア及び可動接触子を連結し、可動コアの移動とともに可動接点を固定接点に接離させる可動ホルダと、固定接触子を固定した封止ケースの固定接点に対向する位置に埋め込まれた永久磁石とを備えた装置であり、封止容器内に固定接触子及び可動接触子が配置されているので、負荷に対して高電流の通電・遮断動作が可能な装置である。
【先行技術文献】
【特許文献】
【０００３】
【特許文献１】特開平９−２５９７２８号公報
【発明の概要】
【発明が解決しようとする課題】
【０００４】
しかし、特許文献１の電磁接触器は、封止容器が不透明であるため、封止容器内に配置された接点機構（固定接触子及び可動接触子）の接点（固定接点及び可動接点）を外部から視認することができない。電磁接触器の可動中に封止容器を開けることは極めて困難であるため、接点機構の導通、非導通状態は目視で確認しにくい。このため、電磁接触器を導通状態に制御しているにも関わらず、電磁接触器に接続された負荷装置に電流が流れない場合、接点機構が動作していないのか、あるいは接点機構は動作しているものの固定接点及び可動接点が十分に接触していないのか、などの接点機構の状態を確認できないという問題がある。
そこで、本発明は上記事情に鑑みてなされたものであり、一対の主回路接点を目視することができない場合であっても、接点の導通状態を監視することができる電磁接触器を提供することを目的としている。
【課題を解決するための手段】
【０００５】
上記目的を達成するために、本発明の一態様に係る電磁接触器は、接離可能に対向配置された一対の主回路接点と、この一対の主回路接点の接離を制御する電磁石のコイルと、前記一対の主回路接点の開閉による接点電圧の変化を検出する電圧検出回路と、を備えている。
この発明の一態様に係る電磁接触器によると、一対の主回路接点が外部から視認できない場合であっても、一対の主回路接点の導通の有無を容易に監視することができる。
また、本発明の一態様に係る電磁接触器は、前記電圧検出回路を前記一対の主回路接点の一方又は他方に切換えして接続可能な切換え接続手段を備えている。
この発明の一態様に係る電磁接触器によると、切替え接続手段を操作することで、負荷が接続している一対の主回路接点の一方又は他方を選択することができる。
【０００６】
また、本発明の一態様に係る電磁接触器は、前記電圧検出回路が、一対の主回路接点の閉極状態で発生する接点電圧を分圧する分圧回路と、この分圧回路が出力した監視電圧と所定の基準電圧とを比較する比較回路と、を備えている。
また、本発明の一態様に係る電磁接触器は、前記分圧回路は、前記一対の主回路接点と接地との間に直列に接続された少なくとも２以上の抵抗素子を備え、それら抵抗素子の間から前記比較回路に前記監視電圧が出力される。
この発明の一態様に係る電磁接触器によると、電磁接触器の一対の接点が離間状態から接触状態に移行を開始した時刻に、比較回路が監視電圧と基準電圧とを比較することで、
一対の主回路接点に不具合が生じていると判定することができる。
【０００７】
また、本発明の一態様に係る電磁接触器は、前記一対の主回路接点を収容する不透明な収容ケースを備えている。
この発明の一態様に係る電磁接触器によると、電磁接触器の外装ケースが不透明であっても、一対の主回路接点の導通の有無を容易に監視することができる。
また、本発明の一態様に係る電磁接触器は、前記一対の主回路接点の一方が、電流路に所定間隔を保って固定配置された一対の固定接触子であり、前記一対の主回路接点の他方が、前記一対の固定接触子に対して接離可能に配置され、前記一対の固定接触子の間を導通可能な可動接触子である。
この発明の一態様に係る電磁接触器によると、一対の固定接触子及び可動接触子が外部から視認できない状態であっても、一対の固定接触子と可動接触子とが接触状態であるか離間状態であるかを監視することができる。
【発明の効果】
【０００８】
本発明に係る電磁接触器によれば、一対の主回路接点が外部から視認できない場合であっても、一対の主回路接点の導通の有無を容易に監視することができる。
【図面の簡単な説明】
【０００９】
【図１】本発明に係る電磁接触器を示す断面図である。
【図２】本発明に係る電磁接触器の回路構成を示す図である。
【図３】本発明に係る電磁接触器を構成する電圧検出回路の構成を示す図である。
【図４】本発明に係る電磁接触器を構成する電圧検出回路の監視シミュレーションの電圧波形を示す図である。
【発明を実施するための形態】
【００１０】
以下、本発明を実施するための形態（以下、実施形態という。）を、図面を参照しながら詳細に説明する。
図１は、本発明に係る一実施形態の電磁接触器１を示す断面図である。
本実施形態の電磁接触器１は、一対の接点３を配置した接点装置４と、この接点装置４を駆動する電磁石ユニット５とを備えている。なお、図１では記載していないが、接点装置４及び電磁石ユニット５は、不透明な合成樹脂で形成した外装ケース（収納ケース）に収納されている。
接点装置は４、一対の接点３を収納する消弧室６を有しており、この消弧室６は、金属製の下端部に外方と突出するフランジ部７有する角筒体８と、この角筒体８の上端を閉塞する固定接点支持絶縁基板９とを備えている。
角筒体８は、そのフランジ部７が電磁石ユニット５の上部磁気ヨーク１０にシール接合されて固定されている。
【００１１】
固定接点支持絶縁基板９には、中央部に、一対の固定接触子１１，１２を挿通する貫通孔１３，１４が所定間隔を保って形成されている。
一対の接点３は、消弧室６の固定接点支持絶縁基板９の貫通孔１３，１４に挿通されて固定された一対の固定接触子１１，１２と、これら一対の固定接触子１１，１２に設けた固定接点１１ａ，１２ａと、これら固定接触子１１，１２の固定接点１１ａ，１２ａに一対の可動接点１５ａ，１５ａが対向している可動接触子１５とを備えている。
可動接触子１５は、電磁石ユニット５の可動プランジャ１６に固定された連結軸１７に支持されており、中央部の連結軸１７の近傍が下方に突出する凹部１８が形成され、この凹部１８に連結軸１７を挿通する貫通孔１９が形成されている。
【００１２】
連結軸１７は、上端に外方に突出するフランジ部１７ａが形成されており、連結軸１７に下端側から接触スプリング２０を挿通し、次いで可動接触子１５の貫通孔１９を挿通して、接触スプリング２０の上端をフランジ部１７ａに当接させ、接触スプリング２０で所定の付勢力を得るように可動接触子１５を例えばＣリング２１によって位置決めする。
可動接触子１５は、釈放状態で、両端の可動接点１５ａ，１５ａと、固定接触子１１，１２の固定接点１１ａ，１２ａとが、所定間隔を保って離間した状態となる。また、可動接触子１５は、投入位置で、両端の可動接点１５ａ，１５ａが、固定接触子１１，１２の固定接点１１ａ，１２ａに、接触スプリング２０による所定の接触圧で接触するように設定されている。
【００１３】
電磁石ユニット５は、側面から見て扁平なＵ字形状の磁気ヨーク２２を有し、この磁気ヨーク２２の底板部２３の中央部に円筒状補助ヨーク２４が固定されている。この円筒状補助ヨーク２４の外側にスプール２５が配置されている。
スプール２５は、円筒状補助ヨーク２４を挿通する中央円筒部２６と、この中央円筒部２６の下端部から半径方向外方に突出する下フランジ部２７と、中央円筒部２６の上端より僅かに下側から半径方向外方に突出する上フランジ部２８とで構成されている。そして、中央円筒部２６、下フランジ部２７及び上フランジ部２８で構成される収納空間に励磁コイル２９が巻装されている。
【００１４】
磁気ヨーク２２の開放端となる上端間には、上部磁気ヨーク１０が固定されている。この上部磁気ヨーク１０は、中央部にスプール２５の中央円筒部２６に対向する貫通孔１０ａが形成されている。
スプール２５の中央円筒部２６内には、底部と磁気ヨーク２２の底板部２３との間に復帰スプリング３１を配設した可動プランジャ１６が上下に摺動可能に配設されている。この可動プランジャ１６には、上部磁気ヨーク１０から上方に突出する上端部に半径方向外方に突出する周鍔部３２が形成されている。
【００１５】
そして、上部磁気ヨーク１０の上面に、環状に形成された永久磁石３３が可動プランジャ１６の周鍔部３２を囲むように固定されている。この永久磁石３３は上下方向すなわち厚み方向に例えば上端側をＮ極とし、下端側をＳ極とするように着磁されている。
可動プランジャ１６は、有底筒状に形成されたキャップ３４で覆われ、このキャップ３４の開放端に半径方向外方に延長して形成されたフランジ部３４ａが上部磁気ヨーク１０の下面にシール接合されている。これによって、消弧室６及びキャップ３４が上部磁気ヨーク１０の貫通孔１０ａを介して連通される密封容器が形成されている。そして、消弧室６及びキャップ３４で形成される密封容器内に水素ガス、窒素ガス、水素及び窒素の混合ガス、空気、ＳＦ6等のガスが封入されている。
【００１６】
一対の固定接触子１１，１２の上部には、固定接点支持絶縁基板９の貫通孔１３，１４に挿通する導体部３５，３６が固定されており、これら導体部３５，３６の上部にねじ穴が形成されている。これら導体部３５，３６に、それらのねじ穴に螺合した接続用ねじ部材３７，３８により一対の外部接続端子板３９，４０が接続されている。
そして、一対の外部接続端子板３９，４０に、接点監視部４１が接続されているとともに、接点監視部４１の一部が外装ケース４２で覆われている。
【００１７】
次に、本実施形態の電磁接触器１の回路構成について説明する。
図２に示すように、本実施形態の電磁接触器１は、主回路４３に接点監視部４１が接続されているとともに、電磁石ユニット５に制御回路基板４４が接続されている。
制御回路基板４４は、電磁石コイル制御回路４５を有しており、電磁石ユニット５の励磁コイル２９に供給する電流を制御するスイッチング素子４６と、スイッチング素子４６のオン／オフを制御するスイッチング素子駆動回路４７とを有している。
【００１８】
スイッチング素子駆動回路４７は、パルス幅変調（ｐｕｌｓｅ  ｗｉｄｔｈ  ｍｏｄｕｌａｔｉｏｎ：ＰＷＭ）回路（不図示）を有している。スイッチング素子駆動回路４７は、励磁コイル２９に所定量の電流を流すために、ＰＷＭ駆動によりスイッチング素子４６のオン状態の時間とオフ状態の時間とを調整するようになっている。
スイッチング素子４６は例えばＮチャネル型の電界効果トランジスタ（Ｆｉｅｌｄ  Ｅｆｆｅｃｔ  Ｔｒａｎｓｉｓｔｏｒ：ＦＥＴ）で構成されている。スイッチング素子４６のドレイン端子Ｄは励磁コイル２９の一端子に接続され、ソース端子Ｓはグラウンドに接続（接地）されている。
【００１９】
スイッチング素子４６のゲート端子Ｇは、ＰＷＭ駆動信号が出力されるスイッチング素子駆動回路４７の信号出力端子（不図示）に接続されている。励磁コイル２９の他端子は電磁接触器１に設けられた電源回路４８に接続されている。励磁コイル２９及びスイッチング素子４６は、電源回路４８とグラウンド間に直列に接続されている。
電源回路４８は、励磁コイル２９に印加される電圧や供給される電流の供給源である。電源回路４８は、例えばＤＣ−ＤＣコンバータ回路（不図示）を有し、励磁コイル２９が所望の磁場を発生するために必要な電圧や電流を主回路４３の電源電圧ＶＤＤから生成するようになっている。
【００２０】
また、主回路４３は、電磁接触器１によって開閉が制御される負荷５０と、一対の接点３と、一対の外部接続端子板３９，４０と、負荷５０に印加される電圧や供給される電流の供給源となる電源回路５１とを有している。
電源回路５１は、例えばＤＣ−ＤＣコンバータ回路（不図示）を有し、電源回路４８に印加されるのと同じ電源電圧ＶＤＤから負荷５０に必要な電圧や電流を生成するようになっている。
【００２１】
そして、一対の接点３を構成する一対の固定接触子１１，１２及び可動接触子１５が接触状態（閉状態）になると、負荷５０は、外部接続端子板４０、一対の接点３及び外部接続端子板３９を介して電源回路５１に接続される。これにより、電磁接触器１は、負荷５０に電圧を印加したり電流を供給したりする電力供給状態となる。一方、一対の接点３が離間状態（開状態）になると、負荷５０は一対の接点３によって電源回路５１から切断される。これにより、電磁接触器１は、負荷５０に電圧を印加したり電流を供給したりしない電力供給停止状態となる。
【００２２】
図２に示すように、一対の固定接触子１１，１２（一対の外部接続端子板３９，４０）に接続されている接点監視部４１は、電磁接触器１の一対の接点３の電圧変化を検出する電圧検出回路５３と、外部操作により電圧検出回路５３を負荷５０側に接続する切替えスイッチ５４と、を有している。
電圧検出回路５３は、図３に示すように、オペアンプ５５と、切替えスイッチ５４を介して負荷５０側及びグラウンドの間に直列に接続された第１抵抗５６、第２抵抗５７、第３抵抗５８と、オペアンプ５５の非反転入力端子（−）及びグラウンドの間に接続された基準電源５９と、オペアンプ５５の出力端子ＯＵＴ及びグラウンドの間に接続された解析用抵抗６０と、オペアンプ５５を駆動するオペアンプ駆動電源６１と、を備え、第２抵抗５７と第３抵抗５８との間とオペアンプ５５の非反転入力端子（＋）とが接続された回路とされている。
【００２３】
負荷５０側及びグラウンドの間に直列に接続されている第１抵抗５６、第２抵抗５７、第３抵抗５８のうち、第２抵抗５７と第３抵抗５８との間とオペアンプ５５の非反転入力端子（＋）とが接続されることで、電源回路５１から一対の接点３に加わる高電圧の接点電圧Ｖ１が分圧されて監視電圧Ｖ２とされ、この監視電圧Ｖ２がオペアンプ５５の非反転入力端子（＋）に入力する。そして、オペアンプ５５は、監視電圧Ｖ２と、オペアンプ５５の非反転入力端子（−）に入力する基準電源５９の基準電圧Ｖｔとを比較し、監視電圧Ｖ２が基準電圧Ｖｔを上回るときに、オペアンプ５５の出力端子ＯＵＴから出力電圧Ｖ３が出力される。
なお、本発明に係る一対の主回路接点が一対の接点３に対応し、本発明に係る電磁石のコイルが励磁コイル２９に対応し、本発明に係る切換え接続手段が切換えスイッチ５４に対応し、本発明に係る比較回路がオペアンプ５５に対応し、本発明に係る抵抗素子が第１〜第３抵抗５６〜５８に対応している。
【００２４】
次に、本実施の形態による電磁接触器１の動作について説明する。
電磁石ユニット５の励磁コイル２９が非通電状態にあって、電磁石ユニット５で可動プランジャ１６を可動させる励磁力を発生していないものとする。この状態では、可動プランジャ２５が復帰スプリング３１によって、上部磁気ヨーク１０から離れる下方向に付勢される。このため、可動プランジャ１６に連結軸１７を介して連結された可動接触子１５は、一対の固定接触子１１，１２に対して所定のギャップを挟んで対向しており、一対の接点３（固定接点１１ａ，１２ａ及び一対の可動接点１５ａ，１５ａ）が開極（釈放）状態となっている。
【００２５】
一対の接点３の開極状態において、電磁石コイル制御回路３４のスイッチング素子駆動回路４７を駆動してスイッチング素子４６がオン状態になると、電源回路４８から電流が流れ、電磁石ユニット５の励磁コイル２９が通電される。これにより、電磁石ユニット５で発生した励磁力は可動プランジャ１６を復帰スプリング３１に抗して押し下げる。これに応じて、可動接触子１５の可動接点１５ａ，１５ａが、固定接触子１１，１２の固定接点１１ａ，１２ａに接触スプリング２０の接触圧で接触し、一対の接点３が接触状態になる。
これにより、電源回路５１から外部接続端子板３９、固定接触子１１、可動接触子１５、固定接触子１２及び外部接続端子板４０を通じて電流が負荷５０に供給される閉極（投入）状態となる。
【００２６】
一対の接点３の閉極状態から負荷５０への電流供給を遮断する場合には、スイッチング素子駆動回路４７を非駆動状態としてスイッチング素子４６をオフ状態とし、電磁石ユニット５の励磁コイル２９への電圧印加及び電流供給を停止する。これにより、電磁石ユニット５で可動プランジャ１６を押し下げる励磁力がなくなることにより、可動プランジャ１６が復帰スプリング３１の付勢力によって上昇する。可動プランジャ１６が上昇するが接触スプリング２０が接触圧を与えている間は可動接触子１５が固定接触子１１，１２に接触している。その後、接触スプリング２０の接触圧がなくなった時点で可動接触子１５が上昇し、一対の接点３は一対の可動接点１５ａ，１５ａが固定接点１１ａ，１２ａから離間した開極（釈放）状態となる。
【００２７】
次に、本実施形態の電磁接触器１に接続した接点監視部４１が行う監視シミュレーションについて説明する。
先ず、監視シミュレーションを行う前に、接点監視部４１の切替えスイッチ５４を操作し、電圧検出回路５３を負荷５０側に接続する。すなわち、図２に示すように、負荷５０が外部接続端子板４０に接続しているので、外部接続端子板４０と導通するように切替えスイッチ５４を操作する。
図４は、図３で示した一対の接点３に加わる接点電圧Ｖ１、監視電圧Ｖ２、出力電圧Ｖ３の電圧波形を示している。図４の各電圧Ｖ１〜Ｖ３において、縦軸は電圧を表し、横軸は時間を表し、図中左から右に向かって時間の経過を示している。
【００２８】
本実施形態の監視シミュレーションでは、シミュレーション開始時には電磁石コイル制御回路４５のスイッチング素子４６をオフ状態としておき、２秒後に、スイッチング素子駆動回路４７を駆動することでスイッチング素子４６をオン状態とし、４秒後に、スイッチング素子４６をオフ状態とする。
電圧検出回路５３は、電磁石コイル制御回路３４のスイッチング素子４６をシミュレーション開始時の２秒後にオン状態とし、４秒後にオフ状態とすると、図４に示すように、接点電圧Ｖ１が、シミュレーション開始時の０（零）Ｖから２秒後に立ち上がり、高電圧（例えば５５０Ｖ）の電圧波形になるとともに、４秒後に０（零）Ｖに立ち下がる。
【００２９】
電圧検出回路５３の監視電圧Ｖ２は、シミュレーション開始から２秒間は接点電圧Ｖ１が０（零）Ｖのときに、略０（零）Ｖの値を示す。そして、シミュレーション開始から２秒後に接点電圧Ｖ１が５５０Ｖとなったとき、第１抵抗５６、第２抵抗５７及び第３抵抗５８に接点電圧Ｖ１が分圧されることで低い値を示す（例えば、第１抵抗５６を２ＭΩ、第２抵抗５７を２ＭΩ、第３抵抗５８を１５０ＫΩとすることで監視電圧Ｖ２は２０Ｖを示す）。また、シミュレーション開始から４秒後に接点電圧Ｖ１が０（零）Ｖのときに、監視電圧Ｖ２は略０（零）Ｖの値を示す。
【００３０】
電圧検出回路５３において、オペアンプ５５の出力電圧Ｖ３は、シミュレーション開始から２秒間、ロウレベル（例えば、約２Ｖ一定）となっている。そして、シミュレーション開始から２秒後に、オペアンプ５５が、非反転入力端子（＋）に入力する監視電圧Ｖ２（２０Ｖ）と、反転入力端子（−）に入力する基準電圧Ｖｔ（本実施形態では１２Ｖ）とを比較し、基準電圧Ｖｔより監視電圧Ｖ２が高いので、出力端子ＯＵＴ出力電圧Ｖ３がハイレベル（例えば、約２４Ｖ一定）となる。そして、シミュレーション開始から４秒後に、オペアンプ５５の出力電圧Ｖ３はロウレベルに移行する。
【００３１】
このように、本実施形態の電圧検出回路５３は、電磁接触器１の一対の接点３が離間状態から接触状態に移行を開始した時刻（本実施形態ではシミュレーション開始から２秒後）から所定期間内（本実施形態ではシミュレーション開始から４秒後）に出力電圧Ｖ３がハイレベルにならない場合には、一対の接点３に不具合が生じていると判定することができる。一対の接点３に不具合が生じていると判定した場合には、例えば不図示の発光素子を点灯して一対の接点３に不具合が生じていることを電磁接触器１の使用者に報知する。
【００３２】
以上説明したように、本実施形態の電磁接触器１は、接離可能に対向配置された一対の接点３と、一対の接点３の接離を制御する励磁コイル２３と、一対の接点３の開閉による接点電圧Ｖ１の変化を検出する接点監視部４１を構成する電圧検出回路５３と、を有している。これにより、電磁接触器１の一対の接点３が外部から視認できない場合であっても、一対の接点３の導通の有無を容易に監視することができる。
また、本実施形態の電磁接触器１は、電圧検出回路５３を負荷５０側に接続する必要があるが、接点監視部４１を構成する切替えスイッチ５４の切換え操作を行うことで、電圧検出回路５３を負荷５０側に容易に接続することができる。
【００３３】
また、本実施形態の接点監視部４１を構成する電圧検出回路５３は、オペアンプ５５と、切替えスイッチ５４を介して負荷５０側及びグラウンドの間に直列に接続された第１抵抗５６、第２抵抗５７、第３抵抗５８と、オペアンプ５５の非反転入力端子（−）及びグラウンドの間に接続された基準電源５９と、オペアンプ５５の出力端子ＯＵＴ及びグラウンドの間に接続された解析用抵抗６０と、オペアンプ５５を駆動するオペアンプ駆動電源６１と、を備え、第２抵抗５７と第３抵抗５８との間とオペアンプ５５の非反転入力端子（＋）とが接続された回路とされ、負荷５０側及びグラウンドの間に直列に接続されている第１抵抗５６、第２抵抗５７、第３抵抗５８のうち、第２抵抗５７と第３抵抗５８との間とオペアンプ５５の非反転入力端子（＋）とが接続されることで、電源回路５１から一対の接点３に加わる高電圧の接点電圧Ｖ１が分圧されて監視電圧Ｖ２とされ、この監視電圧Ｖ２がオペアンプ５５の非反転入力端子（＋）に入力する。そして、オペアンプ５５は、監視電圧Ｖ２と、オペアンプ５５の非反転入力端子（−）に入力する基準電源５９の基準電圧Ｖｔとを比較し、監視電圧Ｖ２が基準電圧Ｖｔを上回るときに、オペアンプ５５の出力端子ＯＵＴから出力電圧Ｖ３が出力されるので、磁接触器１の一対の接点３が離間状態から接触状態に移行を開始した時刻に出力電圧Ｖ３がハイレベルにならない場合に、一対の接点３に不具合が生じていると判定することができる。
【００３４】
また、本実施形態の電磁接触器１は、電磁接触器１の外装ケースが不透明であっても、一対の接点３の導通の有無を容易に監視することができる。
さらに、一対の接点３の一方が、電流路に所定間隔を保って固定配置された一対の固定接触子１１，１２であり、一対の主回路接点３の他方が、一対の固定接触子１１，１２に対して接離可能に配置され、一対の固定接触子１１，１２の間を導通可能な可動接触子１５である。当該構成を備えた電磁接触器１によれば、固定接触子１１，１２及び可動接触子１５が外部から視認できない状態であっても、固定接触子１１，１２と可動接触子１５とが接触状態であるか、離間状態であるかを監視することができる。
【符号の説明】
【００３５】
１…電磁接触器、３…接点機構、４…接点装置、５…電磁石ユニット、６…消弧室、７…フランジ部、８…角筒体、９…固定接点支持絶縁基板、１０…上部磁気ヨーク、１０ａ…貫通孔、１１，１２…固定接触子、１１ａ，１２ａ…固定接点、１３…貫通孔、１５…可動接触子、１５ａ…可動接点、１６…可動プランジャ、１７…連結軸、１７ａ…フランジ部、１８…凹部、１９…貫通孔、２０…接触スプリング、２１…Ｃリング、２２…磁気ヨーク、２３…底板部、２４…円筒状補助ヨーク、２５…スプール、２６…中央円筒部、２７…下フランジ部、２８…上フランジ部、２９…励磁コイル、３１…復帰スプリング、３２…周鍔部、３３…永久磁石、３４…キャップ、３５，３６…導体部、３７，３８…接続用ねじ部材、３９，４０…外部接続端子板、４１…接点監視部、４２…外装ケース、４３…主回路、４４…制御回路基板、４５…電磁石コイル制御回路、４６…スイッチング素子、４７…スイッチング素子駆動回路、４８…電源回路、５０…負荷、５１…電源回路、５３…電圧検出回路、５４…切替えスイッチ、５５…オペアンプ、５６…第１抵抗、５７…第２抵抗、５８…第３抵抗、５９…基準電源、６０…解析用抵抗、６１…オペアンプ駆動電源
【図１】
2015076231.tif 000003
【図２】
2015076231.tif 000004
【図３】
2015076231.tif 000005
【図４】
2015076231.tif 000006